(57)【要約】【課題】  少ない部品構成で、光ムラの少ない光源ユニット２００ならびに照明器具１０００を提供することを目的とする。【解決手段】  光源ユニット２００ならびに照明器具１０００は、光源モジュール２１０と、この光源モジュール２１０が取り付けられる光源取付部２１５ａと、この光源取付部２１５ａの光源モジュール２１０が取り付けられる面に対して傾斜して設けられた斜面反射部２１５ｃと、この斜面反射部２１５ｃと光源取付部２１５ａとの間に、光源取付部２１５ａの光源モジュール２１０が取り付けられる面に対して略垂直となる平面反射部２１５ｂと、光源取付部２１５ａ、斜面反射部２１５ｃと平面反射部２１５ｂで囲われた空間を塞ぐように設けられたカバー２１６と、を備える。【選択図】  図１１
2019140047.tif 000002
【特許請求の範囲】
【請求項１】
光源モジュールと、
この光源モジュールが取り付けられる光源取付部と、
この光源取付部の前記光源モジュールが取り付けられる面に対して傾斜して設けられた斜面反射部と、
この斜面反射部と前記光源取付部との間に、前記光源取付部の前記光源モジュールが取り付けられる面に対して略垂直となる平面反射部と、
前記光源取付部、前記斜面反射部と前記平面反射部で囲われた空間を塞ぐように設けられたカバーと、
を備えた光源ユニット。
【請求項２】
前記光源モジュールは、前記カバーから距離を隔てて取り付けられた発光ダイオードを有する請求項１に記載の光源ユニット。
【請求項３】
前記斜面反射部は、前記光源モジュール側とは逆側に、器具本体に取り付けるための取付機構を備えた請求項１または請求項２に記載の光源ユニット。
【請求項４】
前記取付機構は、当該光源ユニットを回動させるための軸部を有する請求項３記載の光源ユニット。
【請求項５】
前記平面反射部は、前記取付機構により回動するのを抑制して、前記器具本体に係合する係合機構を前記光源側に有する請求項４記載の光源ユニット。
【請求項６】
請求項１〜請求項５のいずれか一項に記載の光源ユニットと、
前記光源ユニットが取り付けられるユニット取付部を有する器具本体と、を備えた照明器具。
【発明の詳細な説明】
【技術分野】
【０００１】
本発明は、光源ユニットならびにこの光源ユニットを備えた照明器具に関する。
【背景技術】
【０００２】
平面状の反射部に対して、両側から光を照らすように構成された照明器具に関する技術がある。（例えば、特許文献１、特許文献２参照。）
【０００３】
また、傾斜面に対して側面方向から光を照らすように構成された照明器具に関する技術がある。（例えば、特許文献３参照。）
【先行技術文献】
【特許文献】
【０００４】
【特許文献１】特開２０１６−２１３０５５号公報
【特許文献２】特開２０１６−２１３０６８号公報
【特許文献３】特許第５７１２０５０号公報
【発明の概要】
【発明が解決しようとする課題】
【０００５】
しかしながら、特許文献１、特許文献２に記載の照明器具は、平面部に光を当てるため、平面部に光を入射させる光源を屈曲させた面に取り付けるため、光源近傍に光ムラが出たり、光源から離れた反射板に当たる輝度が下がるためにカバーの中央部が暗くなったりするなどの課題があった。
また、特許文献３に記載の照明器具は、レンズを用いて光を集光、拡散制御した後、反射板に当てるため、光ムラなど光学性能を高めることができるが、光学性能を高めるためにレンズを用いるため、構成する部品が多くなり、コストがかかるという課題があった。
【０００６】
本発明は、少ない部品構成で、光ムラの少ない光源ユニットならびに照明器具を提供することを目的とする。
【課題を解決するための手段】
【０００７】
本発明の光源ユニットならびに照明器具は、光源モジュールと、この光源モジュールが取り付けられる光源取付部と、この光源取付部の前記光源モジュールが取り付けられる面に対して傾斜して設けられた斜面反射部と、この斜面反射部と前記光源取付部との間に、前記光源取付部の前記光源モジュールが取り付けられる面に対して略垂直となる平面反射部と、前記光源取付部、前記斜面反射部と前記平面反射部で囲われた空間を塞ぐように設けられたカバーと、を備える。
【発明の効果】
【０００８】
本発明によれば、少ない部品構成で、光ムラを少なくすることができる。
【図面の簡単な説明】
【０００９】
【図１】実施の形態１の照明器具を示す斜視図である。
【図２】図１の照明器具を示す５面図であり、（ａ）は天井面側から見た上面図、（ｂ）は正面図、（ｃ）は下面図、（ｄ）と（ｅ）は側面図である。
【図３】図１の照明器具から光源ユニットを外した状態を示す斜視図である。
【図４】図３の器具本体を分解した状態を示す分解斜視図である。
【図５】図２の天井取付部を示す斜視図であり、（ａ）は上面側から見た図、（ｂ）は下面側から見た図である。
【図６】図１の照明器具をシステム天井に取り付ける工程を示す斜視図であり、（ａ）は照明器具をシステム天井に取り付ける前の状態を示す図、（ｂ）は照明器具をシステム天井に取り付けた状態を示す図である。
【図７】図１の照明器具をシステム天井に取り付ける工程を示す部分拡大図であり、（ａ）は照明器具をシステム天井に取り付ける前の状態を示す部分拡大斜視図、（ｂ）は（ａ）の状態におけるシステム天井に取り付ける前の断面を示す部分拡大断面図、（ｃ）は照明器具をシステム天井に取り付けた状態を示す部分拡大斜視図、（ｄ）は（ｃ）の状態におけるシステム天井に取り付けた後の断面を示す部分拡大断面図である。
【図８】図３の光源ユニットを分解した状態を示す分解斜視図であり、（ａ）は光源ユニットを一の方向から見たときを示す図、（ｂ）は（ａ）の光源ユニットを他の方向から見たときを示す図である。
【図９】図６の光源モジュールを分解した状態を示す分解斜視図であり、（ａ）は図８（ａ）における光源モジュールを示す分解斜視図、（ｂ）は図８（ｂ）における光源モジュールを示す分解斜視図である。
【図１０】図６の光源モジュールとカバーとを組み合わせた状態を示す正面図である。
【図１１】図３の光源モジュールの断面図であり、光源モジュールの光路の一例を示す図である。
【図１２】実施の形態１の他の光源モジュールとカバーとを組み合わせた状態を示す正面図である。
【図１３】図３の器具本体に光源ユニットを取り付ける工程を示す断面図であり、（ａ）は光源ユニットを取り付ける前の状態を示す断面図、（ｂ）と（ｃ）は光源ユニットを取り付ける過程を示す断面図、（ｄ）は光源ユニットを取り付けた状態を示す断面図である。
【図１４】実施の形態２の光源モジュールとカバーを組み合わせた状態を示す正面図である。
【図１５】実施の形態２の他の光源モジュールとカバーを組み合わせた状態を示す正面図である。
【発明を実施するための形態】
【００１０】
実施の形態１．
図１〜図１０を用いて、本実施の形態における照明器具１０００の構成、構造について説明する。
【００１１】
照明器具１０００は、図１〜図３に示すように、器具本体１００と、この器具本体１００に取り付けられる２つの光源ユニット２００と、を備える。
【００１２】
器具本体１００は、光源ユニット２００を収納する２つのユニット取付部１２０と、この２つのユニット取付部１２０を連結する連結部１５０を備える。なお、２つのユニット取付部１２０の間には、後述する設備プレート３０が取り付けられることがある。
２つのユニット取付部１２０は、本実施の形態の説明の便宜上、一方側を第一ユニット取付部１３０、他方側を第二ユニット取付部１４０といい、第一ユニット取付部１３０と第二ユニット取付部１４０を区分けしない総称して、単にユニット取付部１２０という。
【００１３】
第一ユニット取付部１３０は、図４に示すように、一面が開口した直方体形状の第一箱体１３１と、この第一箱体１３１に取り付けられた電源取付部１３５と、この電源取付部１３５に取り付けられた電源装置１３５ａと、この電源装置１３５ａを覆うように第一箱体１３１に取り付けられる電源装置用カバー１３６と、この電源装置用カバー１３６に取り付けられる電線を通すためのキャップ１３７を有する。
【００１４】
第一箱体１３１は、長方形状の天面部１３２と、この天面部１３２の４辺から立ち上がって形成された４つの側面部１３３と、を有し、４つの側面部１３３に囲われ、天面部１３２と対向する部分に開口面１３４が形成されている。なお、本実施の形態では、４つの側面部１３３のうち、２つの側面部１３３は、後述する連結フレーム１５１により構成されている。
第一箱体１３１の天面部１３２は、５つの長方形状に開口が開けられている。この５つの長方形状のうち、４つの開口は、居室内と天井裏との間に空気が対流するようにするためのいわゆる空調リターン穴１３２ａである。残りの１つの開口は、電源取付部１３５に取り付けられた電源装置１３５ａを取り付けるための電源装置取付穴１３２ｂである。
【００１５】
第二ユニット取付部１４０は、図４に示すように、一面が開口した直方体形状の第二箱体１４１を有する。
第二箱体１４１は、長方形状の天面部１４２と、この天面部１４２の４辺から立ち上がって形成された４つの側面部１４３と、を有し、４つの側面部１４３に囲われ、天面部１４２と対向する部分に開口面１４４が形成されている。
第二箱体１４１の天面部１４２は、４つの長方形状に開口が開けられている。この４つの開口は、空調リターン穴１４２ａである。
【００１６】
連結部１５０は、第一ユニット取付部１３０と第二ユニット取付部１４０を連結する連結フレーム１５１と、この連結フレーム１５１に取り付けられ、後述するＴバー２０が格子状に組み合わされて構成されたシステム天井に取り付けられる天井取付部１５２と、連結フレーム１５１に取り付けられた電源端子台取付部１５３と、この電源端子台取付部１５３に取り付けられる電源端子台１５４とを有する。
【００１７】
連結フレーム１５１は、Ｌ字状に折り曲げられた長尺状の金属板であり、両端側にそれぞれ第一箱体１３１、第二箱体１４１が取り付けられる。
また、連結フレーム１５１は、第一箱体１３１、第二箱体１４１の間に、天井取付部１５２が摺動可能に取り付けられる。なお、連結フレーム１５１には、天井取付部１５２を摺動させたとき、天井取付部１５２の一部が入り込むためのＴ字状の開口１５１ａが形成されている。
電源端子台取付部１５３は、２つの連結フレーム１５１の一方側に取り付けられる。
【００１８】
連結フレーム１５１は、互いに向き合う方向に突出する一対の係合軸１３３ａを長手方向の両端側にそれぞれ有する。この係合軸１３３ａは、例えば不完全ネジなどである。
【００１９】
天井取付部１５２は、図５〜図７に示すように、連結フレーム１５１にネジなどにより取り付けられるスライド取付部１５２ａと、このスライド取付部１５２ａの一端部分に設けられた側面視がコの字状（またはＵ字状）の取付係合部１５２ｂと、スライド取付部１５２ａが折り曲げられて形成され、スライド取付部１５２ａの剛性を高めるための一対の補強片１５３ｃを有する。
【００２０】
スライド取付部１５２ａは、長円形のスライド穴１５２ａａが形成されており、このスライド穴１５２ａａのネジが挿入されて連結フレーム１５１に締結される。なお、スライド穴１５２ａａに挿入されたネジが緩められることにより、天井取付部１５２は、スライド穴１５２ａａに沿ってスライドさせることができる。
【００２１】
取付係合部１５２ｂは、スライド取付部１５２ａの端部から突出する２つの係合突出片１５２ｂａと、この２つの係合突出片１５２ｂａの間からＬ字形状に折り曲げられて形成された引っ掛け突出片１５２ｂｂとを有する。
【００２２】
取付係合部１５２ｂは、天井取付部１５２がスライドされると、連結フレーム１５１のＴ字状の開口１５１ａを介して、連結フレーム１５１の外側に突出する。このとき、取付係合部１５２ｂは、Ｔバー２０の頭部２１の上下を挟むような形状となっており、Ｔバー２０の頭部２１の上側に係合突出片１５２ｂａが当接して、照明器具１０００が天井から落下しないように支持し、また、Ｔバー２０の頭部２１の下側に引っ掛け突出片１５２ｂｂが引っ掛かることにより、振動などによって、照明器具１０００が天井（Ｔバー２０）から浮き上がらないように支持している。
【００２３】
このように、天井取付部１５２を照明器具１０００の内側に配置されるスライド取付部１５２ａをスライドさせて、取付係合部１５２ｂを照明器具１０００の外側に突出させてＴバー２０に係合させるので、天井裏の懐寸法が狭い場合であっても容易に照明器具１０００をＴバー２０に取り付けることができる。
【００２４】
光源ユニット２００は、図８に示すように、光源モジュール２１０と、光源モジュール２１０が取り付けられる本体部２１５と、本体部２１５に取り付けられる透光性のカバー２１６と、本体部２１５の両端部に取り付けられる端板部２１７と、本体部２１５に取り付けられ、ユニット取付部１２０に係合する係合部２１４を備える。
【００２５】
係合部２１４は、Ｚ字状に折り曲げられて形成され、バネ性を有する。
【００２６】
本体部２１５は、板金が折り曲げられて形成されており、光源モジュール２１０が取り付けられる光源取付部２１５ａと、この光源取付部２１５ａからほぼ直角に折り曲げられて形成された平面反射部２１５ｂと、この平面反射部２１５ｂから鈍角に曲げられて形成された斜面反射部２１５ｃと、斜面反射部２１５ｃから折り曲げられて光源取付部２１５ａと向かい合うカバー取付部２１５ｄと、光源取付部２１５ａ並びにカバー取付部２１５ｄから互いに向き合う方向に折り曲げられて形成され、カバー２１６を支えるカバー支持部２１５ｅを有する。
【００２７】
カバー２１６は、アクリルなどの樹脂や摺りガラスなど光を透過する乳白の板材である。なお、本実施の形態のカバー２１６は、乳白の板材である場合について説明するが、本実施の形態に記載の作用効果を有するものであれば、板材に限らず、曲面で形成されたり、凹凸面で形成されたりしてもよく、また、乳白に限らず、透明な材質であっても構わない。
【００２８】
端板部２１７は、本体部２１５とカバー２１６とを組み合わせることで形成された中空状の筒体の両端を塞ぐように、本体部２１５に取り付けられるものである。
この端板部２１７は、本体部２１５の端部とカバー２１６の端部に当接する蓋部２１７ａと、この蓋部２１７ａの周枠部から折り曲げられて形成され、カバー２１６を支持するカバー支持片２１７ｂと、同じく蓋部２１７ａの周枠部から折り曲げられて形成され、ネジや溶接などにより本体部２１５に取り付けるための２つの取付片２１７ｃと、蓋部２１７ａの周枠部から延出して形成され、ユニット取付部１２０に取り付けられるユニット取付片２１７ｄとを有する。
【００２９】
蓋部２１７ａの外郭形状は、本体部２１５とカバー２１６とを組み合わせた筒体の両端を塞ぐものであるため、筒体と同形状か、あるいは、大きな形状である。
【００３０】
ユニット取付片２１７ｄは、係合軸１３３ａが挿入される切欠溝２１７ｅが形成される。
【００３１】
切欠溝２１７ｅは、係合軸１３３ａを挿入するためにユニット取付片２１７ｄの外郭からＬ字形状に切り込まれて形成される。この切欠溝２１７ｅは、係合軸１３３ａを挿入するための挿入用スリット２１７ｅａと、挿入用スリット２１７ｅａに係合軸１３３ａが挿入された後、第一箱体１３１に第一光源ユニット２００を保持した状態に維持させるための係合用スリット２１７ｅｂとしての役割をもつ。
【００３２】
光源モジュール２１０は、図９、図１０に示すように、複数の発光ダイオード２１１（以下、ＬＥＤ２１１という。）と、この複数のＬＥＤ２１１が実装される長尺状の基板２１２と、この基板２１２が取り付けられる基板取付フレーム２１３を備える。
【００３３】
基板２１２は、幅手方向のほぼ中央の位置に、複数のＬＥＤ２１１が直線状に配列される。つまり、図１０に示すように、カバー２１６の表面（基板２１２の一方側）から第一箱体１３１の天面部１３２側（基板２１２の他方側）までの距離をＡとし、カバー２１６から複数のＬＥＤ２１１の中心線までの距離をＢとするとき、Ｂ＝Ａ／２の関係となっている。
【００３４】
基板取付フレーム２１３は、基板２１２が取り付けられる長尺状の基板取付部２１３ａと、この基板取付部２１３ａの短手方向の一方側が折り曲げられて形成され、本体部２１５に当接する本体当接部２１３ｂと、基板取付部２１３ａの短手方向の他方側が折り曲げられて形成され、カバー２１６を支持するカバー押さえ部２１３ｃと、基板取付部２１３ａの長手方向の両端側が折り曲げられて形成されたカバー規制部２１３ｄとを備える。
【００３５】
次に、光源ユニット２００の組み立て並びに詳細構造について説明する。
光源モジュール２１０は、ＬＥＤ２１１が本体当接部２１３ｂ側に寄るように、基板取付部２１３ａに取り付ける。
カバー２１６を本体部２１５の長手方向から挿入して本体部２１５のカバー支持部２１５ｅに載せ、次に、光源モジュール２１０が取り付けられた基板取付フレーム２１３を本体部２１５の長手方向から挿入する。
【００３６】
基板取付フレーム２１３のカバー支持部２１５ｅがカバー２１６に当接するように、基板取付フレーム２１３の基板取付部２１３ａを本体部２１５の光源取付部２１５ａに当接し、基板取付フレーム２１３の本体当接部２１３ｂを本体部２１５の平面反射部２１５ｂに当接させる。このとき、平面反射部２１５ｂをネジが貫通し、本体当接部２１３ｂにネジ込まれることにより、本体当接部２１３ｂを平面反射部２１５ｂに固定する。また、基板取付フレーム２１３のカバー支持部２１５ｅがカバー２１６に当接したとき、カバー２１６の反対側の面がカバー支持部２１５ｅに当接しているので、カバー支持部２１５ｅとカバー支持部２１５ｅはカバー２１６を挟み込むことができ、カバー２１６の面に対して垂直成分方向へ動くのを抑制することができる。
【００３７】
次に、本体部２１５の長手方向の両端部にそれぞれ端板を当接させる。このとき、カバー支持片２１７ｂが、カバー支持部２１５ｅを支えているカバー２１６の表面に当接してカバー２１６を支えるとともに、２つの取付片２１７ｃの一方が平面反射部２１５ｂ、他方が斜面反射部２１５ｃに当接し、ネジによって本体部２１５に締結される。これにより、カバー２１６は本体部２１５の長手方向へ動くのを抑制される。つまり、本体部２１５にカバー２１６が取り付けられた状態となる。
【００３８】
このように組み立てられた光源ユニット２００は、図１１に示すように、ＬＥＤ２１１が発光（直接光Ｌｄ）すると、平面反射部２１５ｂ並びに斜面反射部２１５ｃによって光が拡散反射され、拡散反射された光（反射光Ｌｒ）はカバー２１６を透過して、光源ユニット２００の外部へ放出される。
【００３９】
このとき、ＬＥＤ２１１は、カバー２１６からの距離が離れるように配置されているので、ＬＥＤ２１１から発せられた光がカバー２１６に当たることになる。
【００４０】
つまり、カバー２１６とＬＥＤ２１１との距離が離れるほど、ＬＥＤ２１１から発せられた直接光がカバー２１６の広い面積に当たるので、光ムラが少なくすることができる。この状態で、平面反射部２１５ｂ及び斜面反射部２１５ｃに拡散反射された反射光がカバー２１６に当たるので、ＬＥＤ２１１からの直接光が当たらない暗がり部分に対しても光があたり、よりカバー２１６の全面に光ムラの少ない均一な光を当てることになる。一方で、ＬＥＤ２１１を平面反射部２１５ｂ側に寄せすぎると、ＬＥＤ２１１が発した光が、平面反射部２１５ｂには当たるものの、斜面反射部２１５ｃのうち、平面反射部２１５ｂ側に近いほうに集中的に光が当たることとなる。
【００４１】
これに対して、例えば図１２で示すように、ＬＥＤ２１１を平面反射部２１５ｂから少し距離を置いて基板２１２に配置することによって、斜面反射部２１５ｃの全体に光を当てることができるので、斜面反射部２１５ｃによって反射された光をカバー２１６の広い範囲に投影させることができ、光ムラをより軽減させることができる。つまり、カバー２１６の表面（基板２１２の一方側）から第一箱体１３１の天面部１３２側（基板２１２の他方側）までの距離をＡとし、カバー２１６から複数のＬＥＤ２１１の中心線までの距離をＢとするとき、Ｂ≧Ａ／２の関係となるようにするとよい。
【００４２】
次に、器具本体１００の組み立て並びに詳細構造について説明する。
電源端子台１５４と電源装置１３５ａとを電線（図示しない）で接続し、電源端子台１５４を電源端子台取付部１５３、電源装置１３５ａを電源装置取付部１３５にそれぞれ取り付ける。
【００４３】
第一箱体１３１、第二箱体１４１の長手方向の端部同士をそれぞれ連結部１５０で結合し、電源端子台１５４取り付け部を連結部１５０、電源装置１３５ａ取付部を第一箱体１３１に取り付ける。
【００４４】
次に、第一光源ユニット２００を第一箱体１３１に取り付けるが、図１３に示すように、切欠溝２１７ｅに係合軸１３３ａを挿入し、係合軸１３３ａが係合用スリット２１７ｅｂまでくるように第一光源ユニット２００を可動（図１３（ａ）〜図１３（ｂ））させ、係合軸１３３ａを支点に第一光源ユニット２００を回動（図１３（ｂ）〜図１３（ｃ））させて、第一箱体１３１の内部に第一光源ユニット２００を取り付ける（図１３（ｄ））。このとき、第一光源ユニット２００の係合部２１４が、空調リターン用の開口部分の縁に係り合う。このように、係合部２１４が開口部分の縁に係合することにより、第一光源ユニット２００の回動を規制し、第一光源ユニット２００を第一箱体１３１に取り付けられた状態に維持することができる。
【００４５】
このように、係合部２１４を空調リターン用の開口部分に係合するようにしたので、天面部１３２に開ける穴を少なくすることができ、天面部１３２の強度を高めることができ、また、第一箱体１３１を製造するときの加工数を減らすことができる。
また、係合部２１４を空調リターン用の開口部分に対して、第一箱体１３１の外側方向へ弾性力が発生するように係合させるので、第一箱体１３１に捩れなどの外力がかかったとき、係合軸１３３ａと係合部２１４にも力が掛かるので、第一光源ユニット２００の剛性により、第一箱体１３１が捩れたり、変形したりするのを抑制することができ、第一箱体１３１の剛性を高めることができる。
【００４６】
なお、第一光源ユニット２００を第一箱体１３１に取り付けたとき、天面部１３２と平面反射部２１５ｂとの距離は、係合部２１４により１０ｍｍ程度である。このようにすることにより、平面反射部２１５ｂが天面部１３２に開けられた開口を塞ぐことなく、第一光源ユニット２００と第一箱体１３１とで形成された空間を通じて、居室内と天井裏との空調用の流路（空調リターン）を確保することができる。
【００４７】
また、斜面反射部２１５ｃと天面部１３２との間の位置に電源装置１３５ａを配置するようにしているので、照明器具１０００の高さを低くすることができる。つまり、斜面反射部２１５ｃと天面部１３２との間の空間を広くしているので、この空間に前述の電源装置１３５ａや電装部品などを格納することができる。  
また、斜面反射部２１５ｃと天面部１３２との間の空間を広くしているので、光源ユニット２００を第一箱体１３１に取り付ける際に光源ユニット２００を回動させるスペースとすることができ、光源ユニット２００を第一箱体１３１に取り付ける取付性を向上させることができる。
【００４８】
なお、光源ユニット２００を第二箱体１４１に取り付ける工程及び各構成における機能、効果は光源ユニット２００を第一箱体１３１取り付けるものと同じため、説明を省略する。
【００４９】
本実施の形態では、システム天井の用いられる照明器具１０００について説明したが、これに限らず、天井埋込用や天井直付用などの他の形態の照明器具１０００に本実施の形態に記載の構成の全てあるいは部分的に適用しても構わない。
【００５０】
実施の形態２．
本実施の形態は、実施の形態１の光源モジュール２１０を変更したものである。本実施の形態では、実施の形態１と同様の構成については同符号を付して説明を省略し、実施の形態１と異なる光源モジュール３１０について、主に説明する。
【００５１】
図１４を用いて、本実施の形態の光源モジュールについて説明する。
本実施の形態における光源モジュール３１０は、複数の発光ダイオード３１１（以下、ＬＥＤ３１１という。）と、このＬＥＤ３１１が実装される基板３１２と、この基板３１２が取り付けられる基板取付フレーム２１３を有する。
【００５２】
図１４に示すように、複数のＬＥＤ３１１は、基板３１２の幅手方向のほぼ中央に一列の直線状に実装される第一列群３１１ａと、カバー２１６より離れた基板３１２の長辺側に一列の直線状に実装される第二列群３１１ｂで構成される。つまり、カバー２１６の表面（基板２１２の一方側）から第一箱体１３１の天面部１３２側（基板２１２の他方側）までの距離をＡとし、カバー２１６から第一列群３１１ａの中心線までの距離をＢ、第二列群３１１ｂの中心線までの距離をＣとするとき、この実施の形態ではＢ＝Ａ／２、Ｃ＝３Ａ／４の関係となっている。なお、実施の形態ではＢ＝Ａ／２、Ｃ＝３Ａ／４の関係となっている場合について説明するが、第一列群３１１ａ、第二列群３１１ｂの配置はカバーからの距離がＡ＞Ｃ＞Ｂ≧Ａ／２の関係を満たしていれば、同等の作用効果が得られる。
また、第一列群３１１ａと第二列群３１１ｂは、その配列をＸ方向とするとき、このＸ方向と直交するＹ方向では第一列群３１１ａのＬＥＤ２１１と第二列群３１１ｂのＬＥＤ３１１は直線状と並ばないように、基板３１２に実装される。つまり、第一列群３１１ａのＬＥＤ３１１と第二列群３１１ｂのＬＥＤ３１１は、いわゆる千鳥配列で基板３１２に実装される。
【００５３】
このように、複数のＬＥＤ３１１を第一列群３１１ａ、第二列群３１１ｂに分けて基板２１２に実装することにより、複数のＬＥＤ３１１の互いの距離を離すことができるので、互いのＬＥＤ３１１の発熱の影響を少なくすることができ、また、基板３１２或いはＬＥＤ３１１のリード端子間の絶縁距離を長くすることができる。
【００５４】
さらに、図１５に示すように、基板３１２の長手方向の両端に配置されるＬＥＤ３１１を、第一列群３１１ａのＬＥＤ３１１または第二列群３１１ｂのＬＥＤ３１１のいずれかとすると、基板３１２に実装された複数のＬＥＤ３１１の配列は、左右対称となるので、基板３１２の両端側のＬＥＤ２１１が発光してカバー２１６にあたる光の印象（配光）を等しくすることができ、カバー２１６に投影される光ムラが抑制される。
【００５５】
なお、本実施の形態では、基板３１２に実装される複数のＬＥＤ３１１の列が２列の場合について説明したが、これに限らず、基板３１２に実装される複数のＬＥＤ３１１の列を３列以上としてもよい。
【符号の説明】
【００５６】
１０００  照明器具、１００  器具本体、１２０  ユニット取付部、１３０  第一ユニット取付部、１３１  第一箱体、１３２  天面部、１３２ａ  空調リターン穴、１３２ｂ  電源装置取付穴、１３３  側面部、１３４  開口面、１３５  電源取付部、１３５ａ  電源装置、１３６  電源装置用カバー、１３７  キャップ、１４０  第二ユニット取付部、１４１  第二箱体、１４２  天面部、１４２ａ  空調リターン穴、１４３  側面部、１４４  開口面、１５０  連結部、１５１  連結フレーム、１５１ａ  開口、１３３ａ  係合軸、１５２  天井取付部、１５２ａ  スライド取付部、１５２ａａ  スライド穴、１５２ｂ  取付係合部、１５２ｂａ  係合突出片、１５２ｂｂ  引っ掛け突出片、１５３ｃ  補強片、１５３  電源端子台取付部、１５４  電源端子台、２００  光源ユニット、２１０  光源モジュール、２１５  本体部、２１５ａ  光源取付部、２１５ｂ  平面反射部、２１５ｃ  斜面反射部、２１５ｄ  カバー取付部、２１５ｅ  カバー支持部、２１６  カバー、２１７  端板部、２１７ａ  蓋部、２１７ｂ  カバー支持片、２１７ｃ  取付片、２１７ｄ  ユニット取付片、２１７ｅ  切欠溝、２１７ｅａ  挿入用スリット、２１７ｅｂ  係合用スリット、２１４  係合部、２１０  光源モジュール、２１１  発光ダイオード（ＬＥＤ）、２１２  基板、２１３  基板取付フレーム、２１３ａ  基板取付部、２１３ｂ  本体当接部、２１３ｃ  カバー押さえ部、２１３ｄ  カバー規制部、３１０  光源モジュール、３１１  発光ダイオード（ＬＥＤ）、３１２  基板、３１１ａ  第一列群、３１１ｂ第二列群、２０  Ｔバー、２１  頭部、３０  設備プレート。
【図１】
2019140047.tif 000003
【図２】
2019140047.tif 000004
【図３】
2019140047.tif 000005
【図４】
2019140047.tif 000006
【図５】
2019140047.tif 000007
【図６】
2019140047.tif 000008
【図７】
2019140047.tif 000009
【図８】
2019140047.tif 000010
【図９】
2019140047.tif 000011
【図１０】
2019140047.tif 000012
【図１１】
2019140047.tif 000013
【図１２】
2019140047.tif 000014
【図１３】
2019140047.tif 000015
【図１４】
2019140047.tif 000016
【図１５】
2019140047.tif 000017